(57)【要約】【目的】本発明は長尺状の建築用パネルを施工した際に、目地の化粧材、汚染防止材、等として機能する目地形成材を形成できる建築用パネルに関するものである。【構成】両端部に雄型連結部４と雌型連結部５を形成した建築用パネルＡであって、連結時に雄型連結部４と雌型連結部５により重合される連結部内の少なくとも一方に内側に窪んだ嵌合溝を形成した建築用パネルＡである。【選択図】図１
2009155941.tif 000002
【特許請求の範囲】
【請求項１】
両端部に雄型連結部と雌型連結部を形成した建築用パネルであって、連結時に雄型連結部と雌型連結部により重合される連結部内の少なくとも一方に内側に窪んだ嵌合溝を形成したことを特徴とする建築用パネル。
【発明の詳細な説明】
【技術分野】
【０００１】
本発明は長尺状の建築用パネルを施工した際に、目地の化粧材、汚染防止材、等として機能する目地形成材を形成できる建築用パネルに関するものである。
【背景技術】
【０００２】
一般に、金属系パネル、薄板状の表面材と裏面材にて合成樹脂発泡体からなる芯材をサンドイッチした金属系サイディング材間にキャップを装着する構造が発明されて上市されている。（例えば、特許文献１、２参照）。
【０００３】
【特許文献１】特許第２６３３４４４号
【特許文献２】特許第２６８６２１１号
【発明の開示】
【発明が解決しようとする課題】
【０００４】
しかしながら、これら構造は目地間の固定具をカバーする構造であり、目地部のデザイン性を向上したり、雨水による汚染を防止する思想は存在しなかった。また、直接、建築用パネル間に装着できるものでなかった。
【課題を解決するための手段】
【０００５】
本発明はこのような欠点を解決するために、両端部に雄型連結部と雌型連結部を形成した建築用パネルであって、連結時に雄型連結部と雌型連結部により重合される連結部内の少なくとも一方に内側に窪んだ嵌合溝を形成した建築用パネル。を提供するものである。
【発明の効果】
【０００６】
本発明に係る建築用パネルによれば、（１）目地形成材が、簡単に固定できる。（２）建築用パネル施工後に目地形成材の取り付けが可能である。等の特徴、効果がある。
【発明を実施するための最良の形態】
【０００７】
以下に、図面を用いて本発明に係る建築用パネルの一実施例について詳細に説明する。図１は本発明に係る建築用パネルＡを示す断面図、図２は建築用パネルＡの施工状態を示す断面図、図３（ａ）〜（ｃ）は本発明に係る建築用パネルＡに施工される目地形成材Ｃの一実施例を示す断面図と斜視図であり、３（ａ）は図３（ｃ）のａ−ａ線断面図、図３（ｂ）は図３（ｃ）のｂ−ｂ線断面図である。なお、Ｂはパッキング材、αは躯体（一点鎖線はアスファルトフェルト、防風透湿シート、等のシート）、βは固定具、γは連結目地部である。
【０００８】
建築用パネルＡは図１に示すように、表面材１と裏面材２で合成樹脂を原料とする合成樹脂発泡体からなる芯材３を、サンドイッチした建築用パネルＡであり、少なくとも上下端部に雄型連結部４と雌型連結部５、固定部１６を形成した金属系サイディング材である。また、その他に金属系パネル、窯業系サイディング材、タイル、ＡＬＣ、コンクリートパネル、等の乾式工法の建築用パネルＡである。勿論、縦張り、横張りのどちらでも施工は可能である。
【０００９】
さらに詳説すると、表面材１、裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、アルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１０】
雄型連結部４は図１に示すように、建築用パネルＡの化粧面１ａ下端を内側方に折り返した上片６と、上片６に形成した嵌合溝４ａと、上片６の先端を下方に垂下した係止片７と、上片６と係止片７とから形成した係止溝８とから形成したものである。なお、図では係止片７の先端を内側方に屈曲して舌片７ａを形成している。
【００１１】
雌型連結部５は、化粧面の上端を内方に屈曲すると共に先端を上方に屈曲して化粧溝片９を形成し、化粧溝片９の先端を内方に屈曲した嵌合片１０と、嵌合片１０の先端を上方に屈曲した差込片１１と、嵌合片１０と嵌合片１１より形成した嵌合溝１２と、差込片１１の先端を内側方に屈曲した上面１３と、上面１３の先端を外側方に屈曲した下面１４と、上面１３と下面１４とから形成した係合溝１５と、下面１４をさらに上方に延長した固定面１６とから形成したものである。
【００１２】
嵌合溝１２の段差１０は、図２に示すように、建築用パネルＡ間に挿入した目地形成材Ｃの係止爪１８を係止することにより目地形成材Ｃを建築用パネルＡ間に固定するためのものである。
【００１３】
また、芯材３はポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００１４】
建築用パネルＡに形成したパッキング材Ｂは建築用パネルＡの連結目地部γの防水性の強化のために形成するものであり、例えば定型で弾性のあるパッキング材としては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているもの、あるいは硬化型のパッキング材（シーリング材）としてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。勿論、これらの成分中に無機材等の難燃材、あるいは耐火性、防火性を有する例えばポリリン酸アンモニウム、水酸化アルミニウム、フェノール樹脂粒、カーボンブラック、グラファイト（発泡、非発泡）等の難燃材を混入した耐火性のあるパッキング材を使用しても良いものである。
【００１５】
目地形成材Ｃは水平面状の係止面１７と、係止面１７の先端近傍の側面１８を外方に突出して形成された係止爪１９とからなる係止部２０と、係止部２０の他方端に形成し建築用パネルＡ間の連結目地部γに突出するように形成した上面２１と、上面２１の先端を内側方に突出した下面２２とからなる目地形成部２３とから形成したものである。
【００１６】
目地形成材Ｃの素材としては、金属製薄板材、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種、あるいは金属製板材に樹脂をモールディングした材料、等を各種形状に成形したものである。
【００１７】
係止部２０は、図２に示すように建築用パネルＡの上下端部の雄型連結部４、雌型連結部５間の連結目地部γ間に挿入され、図では雌型連結部５に形成した嵌合溝１２の嵌合片１０に係止爪１８を係止することにより建築用パネルＡ間に目地形成材Ｃを固定する部分である。
【００１８】
目地形成部２３は建築用パネルＡ間の連結目地部γにおいて化粧面１ａよりも外方に突出するような寸法Ｔで形成することにより、目地化粧部、雨水跡防止部として機能するものである。
【００１９】
さらに詳説すると、目地形成部２３は建築用パネルＡが縦張りの場合には、目地化粧部として機能し、立体的なデザインを形成することが出来るものである。
【００２０】
また、目地形成部２３は建築用パネルＡが横張りの場合には、目地化粧部、雨水跡防止部として機能し、立体的なデザインが形成出来ると共に、建築用パネルＡの化粧面１ａよりも外方に突出するような寸法Ｈで形成することにより、壁面に形成した窓枠からの雨水跡を目地形成部７により防止し、壁の汚れを防止するものである。
【００２１】
さらに、建築用パネルＡの化粧面１ａと違った材質、違った色調で配置するデザイン化、１枚毎、２枚毎、ランダムに等、設計に則したデザイン化が可能である。
【００２２】
ここで、本発明に係る建築用パネルの施工方法について説明する。まず、図４に示すように躯体αに図１に示すような建築用パネルＡの固定面１６を釘等の固定具βにより固定する、次に、図５、図６に示すように建築用パネルＡを固定し、その後、目地形成材Ｃを矢印で示すように連結目地部γ間の寸法Ｈの空間に挿入し、嵌合溝１２の嵌合片１０に係止爪１８を係止して図７、図８に示すように目地形成材Ｃを固定するものである。勿論、目地形成材Ｃは雨水による窓下の汚染防止用に窓下部分に形成したり、あるいはデザインに合わせて形成するものである。
【００２３】
以上説明したのは、本発明に係る建築用パネルの一実施例にすぎず、建築用パネルＡを図９（ａ）、（ｂ）〜図１３（ａ）〜（ｆ）に示すように形成することも出来るものである。
【図面の簡単な説明】
【００２４】
【図１】本発明に係る建築用パネルの一実施例を示す断面図である。
【図２】本発明に係る建築用パネルの施工状態を示す断面図である。
【図３】本発明に係る建築用パネルに使用するに目地形成材の一実施例を示す説明図である。
【図４】本発明に係る建築用パネルを使用したの施工順序の一例を示す断面図である。
【図５】本発明に係る建築用パネルを使用したの施工順序の一例を示す断面図である。
【図６】本発明に係る建築用パネルを使用したの施工順序の一例を示す断面図である。
【図７】本発明に係る建築用パネルを使用したの施工順序の一例を示す断面図である。
【図８】本発明に係る建築用パネルを使用したの施工順序の一例を示す断面図である。
【図９】本発明に係る建築用パネルのその他の実施例を示す断面図である。
【図１０】本発明に係る建築用パネルのその他の実施例を示す断面図である。
【図１１】本発明に係る建築用パネルのその他の実施例を示す断面図である。
【図１２】本発明に係る建築用パネルのその他の実施例を示す断面図である。
【図１３】本発明に係る建築用パネルのその他の実施例を示す断面図である。
【符号の説明】
【００２５】
Ａ  建築用パネル
Ｂ  パッキング材
Ｃ  目地形成材
α  躯体
β  固定具
γ  連結目地部
１  表面材
１ａ  化粧面
２  裏面材
３  芯材
４  雄型連結部
４ａ  嵌合溝
５  雌型連結部
６  上片
７  係止片
７ａ  舌片
８  係止溝
９  化粧溝片
１０  嵌合片
１１  差込片
１２  嵌合溝
１３  上面
１４  下面
１５  係合溝
１６  固定面
１７  係止面
１８  係止爪
１９  側面
２０  係止部
２１  上面
２２  下面
２３  目地形成部
【図１】
2009155941.tif 000003
【図２】
2009155941.tif 000004
【図３】
2009155941.tif 000005
【図４】
2009155941.tif 000006
【図５】
2009155941.tif 000007
【図６】
2009155941.tif 000008
【図７】
2009155941.tif 000009
【図８】
2009155941.tif 000010
【図９】
2009155941.tif 000011
【図１０】
2009155941.tif 000012
【図１１】
2009155941.tif 000013
【図１２】
2009155941.tif 000014
【図１３】
2009155941.tif 000015